(57)【要約】【課題】吸音性，遮音性を損なうことなく、必要充分な剛性，形状保持性が得られ、ダッシュサイレンサの取付作業を容易ならしめる。【解決手段】繊維積層体を加熱，加圧することにより厚さ２〜１０ｍｍ，目付３００〜２０００ｇ／ｍ２に形成されたハード層１と、厚さ０．５〜３ｍｍ，目付５００〜７０００ｇ／ｍ２のオレフィン系遮音シートからなる中間層２と、厚さ１０〜３０ｍｍ，目付５００〜２０００ｇ／ｍ２の繊維積層体またはウレタンフォームからなるソフト層３を接合することにより、その曲げ弾性勾配が２〜３００Ｎ／ｃｍ／５０ｍｍとなるように設定する。【選択図】図１
2006106211.tif 000002
【特許請求の範囲】
【請求項１】
繊維積層体を加熱，加圧することにより厚さ２〜１０ｍｍ，目付３００〜２０００ｇ／ｍ２に形成されたハード層と、厚さ０．５〜３ｍｍ，目付５００〜７０００ｇ／ｍ２の遮音シートからなる中間層と、厚さ１０〜３０ｍｍ，目付５００〜２０００ｇ／ｍ２の繊維積層体またはウレタンフォームからなるソフト層とを接合することによりにより形成されるダッシュサイレンサであって、その曲げ弾性勾配が２〜３００Ｎ／ｃｍ／５０ｍｍとなるように構成されていることを特徴とした高剛性ダッシュサイレンサ。
【請求項２】
繊維積層体を加熱，加圧することにより厚さ２〜１０ｍｍ，目付３００〜２０００ｇ／ｍ２に形成されたハード層と、厚さ１０〜１００μｍ，目付１０〜１００ｇ／ｍ２の合成樹脂フィルムからなる中間層と、厚さ１０〜３０ｍｍ，目付５００〜２０００ｇ／ｍ２の繊維積層体またはウレタンフォームからなるソフト層を接合することにより、その曲げ弾性勾配が２〜３００Ｎ／ｃｍ／５０ｍｍとなるように設定してなることを特徴とした高剛性ダッシュサイレンサ。
【請求項３】
請求項１または２に記載のダッシュサイレンサをインストールパネル側に装着することにより、該ダッシュサイレンサとダッシュパネル面との間に０．５〜２０ｍｍの隙間が形成されるようにしたことを特徴とする高剛性ダッシュサイレンサ。
【発明の詳細な説明】
【技術分野】
【０００１】
この発明はエンジンルーム内で発生する騒音が車室に伝播するのを緩和するために自動車のダッシュパネルの車室内側に取り付けられる高剛性ダッシュサイレンサに関するものである。
【背景技術】
【０００２】
一般にダッシュサイレンサは、高比重シートやフェルト材等の積層体から構成され、図４に示したように、ハンドル軸貫通用、外気取り入れ口等の透孔ａ、および、多数の取付用小孔ｂが開設された大きな（１４００ｍｍ×７００ｍｍ程度）部品であり、従来では作業者が該ダッシュサイレンサを折り曲げ状態として一人で車内に持ち込み、ダッシュパネルの車室側表面に予め突設されている取付用スタッドピンに、該小孔ｂを引っ掛けることにより装着していた。しかしこのような取付作業は、ダッシュサイレンサに剛性，形状保持性がなく両手で支持しても垂れ下がりが大きいことから複数のスタッドピンに小孔を同時に引っ掛けることが困難であり、狭いボデー内での作業は著しく能率が悪く、取付に時間が掛かるものであった。また、このようにスタッドピンに引っ掛ける取付方式では、ダッシュパネル表面とダッシュサイレンサとの隙間が均一に保たれないので、充分な遮音性能が発揮されないおそれがあった。また、従来のダッシュサイレンサでは、剛性，形状保持性がないために取付用小孔ｂを多数設けなければならなかった。このため、該小孔からの音漏れにより遮音性が悪くするおそれがあった。
【０００３】
また、下記特許文献１に示されたダッシュサイレンサは硬質樹脂材を表皮と組み付け作業の効率が高められるようにするものであり、特許文献２に示されたダッシュサイレンサは熱硬化性樹脂層の硬化部分により固定が効率よく行われるようにするものであるが、これらのダッシュサイレンサの構造では、いずれも本来の吸音性，遮音性を低下させるおそれがあった。
【特許文献１】実開昭６３−１２２１５０号公報
【特許文献２】実公平３−５７４７０号公報
【発明の開示】
【発明が解決しようとする課題】
【０００４】
そこでこの発明は、吸音性，遮音性を損なうことなく、取付作業を容易ならしめる高剛性ダッシュサイレンサを提供しようとするものである。
【課題を解決するための手段】
【０００５】
上記課題を解決するため請求項１に記載のダッシュサイレンサは、繊維積層体を加熱，加圧することにより厚さ２〜１０ｍｍ，目付３００〜２０００ｇ／ｍ２に形成されたハード層と、厚さ０．５〜３ｍｍ，目付５００〜７０００ｇ／ｍ２の遮音シートからなる中間層と、厚さ１０〜３０ｍｍ，目付５００〜２０００ｇ／ｍ２の繊維積層体またはウレタンフォームからなるソフト層とを接合することによりにより形成されるダッシュサイレンサであって、その曲げ弾性勾配が２〜３００Ｎ／ｃｍ／５０ｍｍとなるように構成されていることを特徴とする。
なお、この曲げ弾性勾配の単位「Ｎ／ｃｍ／５０ｍｍ」は、５０×１５０ｍｍの試験片の上から５０ｍｍ／ｍｉｎの速度で荷重を加えた時の最大荷重時、荷重−たわみ曲線の直線勾配（試験サンプル幅５０ｍｍ時の曲げ弾性勾配）を表す。
【０００６】
また、請求項２に記載の高剛性ダッシュサイレンサは、繊維積層体を加熱，加圧することにより厚さ２〜１０ｍｍ，目付３００〜２０００ｇ／ｍ２に形成されたハード層と、厚さ１０〜１００μｍ，目付１０〜１００ｇ／ｍ２の合成樹脂フィルムからなる中間層と、厚さ１０〜３０ｍｍ，目付５００〜２０００ｇ／ｍ２の繊維積層体またはウレタンフォームからなるソフト層を接合することにより、その曲げ弾性勾配が２〜３００Ｎ／ｃｍ／５０ｍｍとなるように設定してなることを特徴とする。
【０００７】
また、請求項３に記載の発明は、上記ダッシュサイレンサをインストールパネル側に装着することにより、該ダッシュサイレンサとダッシュパネル面との間に０．５〜２０ｍｍの隙間が形成されるようにしたことを特徴とする。
【発明の効果】
【０００８】
ダッシュサイレンサの取付に支障のない必要充分な剛性，形状保持性が得られ、作業性が向上するとともに、これによって吸音性，遮音性が損なわれることなくダッシュサイレンサ本来の性能が維持される。
【発明を実施するための最良の形態】
【０００９】
このダッシュサイレンサは、図１に示すように、ハード層１と中間層２とソフト層３とからなる。ハード層１は、ポリプロピレン，ポリエチレン，ポリエステル，ポリスチレン等の熱可塑性樹脂繊維の混合比率を４０％以上とし、余りがグラスウール，綿，天然繊維等からなる繊維積層体をホットプレスにより加熱することにより該熱可塑性樹脂繊維を溶融すると同時に加圧し、該熱可塑性樹脂繊維をバインダーとすることにより、該ハード層１を厚さ２〜１０ｍｍ，目付３００〜２０００ｇ／ｍ２，曲げ弾性勾配１５〜２５Ｎ／ｃｍ／５０ｍｍの適度な剛性，形状保持性を有する板状に成形したものである。そして、該ハード層１の表面に厚さ０．５〜３ｍｍ，目付５００〜７０００ｇ／ｍ２のオレフィン系遮音シートからなる中間層２を介在させ、厚さ１０〜３０ｍｍ，目付５００〜２０００ｇ／ｍ２の繊維積層体またはウレタンフォームからなるソフト層３を重ね合わせることにより、この発明のダッシュサイレンサが形成される。
なお、中間層２としては上記オレフィン系遮音シートに代えて、ナイロン，ポリエステル，ポリエチレン，ポリプロピレン等からなる厚さ１０〜１００μｍ，目付１０〜１００ｇ／ｍ２の合成樹脂フィルムを使用してもよい。
【実施例１】
【００１０】
次にこのダッシュサイレンサの吸音性，遮音性を測定するため、ハード層１のバインダーとしてのポリエステル系繊維の混合比率を５０％としたもの（本発明仕様）と、ポリエステル系繊維の混合比率を３０％としたもの（現行仕様）の透過音損失試験および残響室法吸音率試験を行い、その結果を図２および図３に示す。なお、中間層２は本発明仕様，現行仕様ともに厚さ２ｍｍ，目付３４００ｇ／ｍ２のオレフィン系遮音シート、ソフト層３は発明品，比較品ともに厚さ２０ｍｍ，目付１０００ｇ／ｍ２のウレタンフォームを重ね合わしたものを用いた。
【００１１】
この結果、本発明のダッシュサイレンサでは、剛性の高いハード層１を設けることによっても、透過音損失，吸音率を殆ど低下させることなく所期の遮音性，吸音性を維持し得ることが明らかとなった。また、本発明はこのようなハード層１を設けることによって厚さや嵩比重，重量が増すこともなく、ダッシュサイレンサとして最適な性能が得られた。
【００１２】
また、本発明のダッシュサイレンサは、剛性，形状保持性が高いことから、取付時に車内に持ち込みスタッドピンに引っ掛ける作業を容易にできる。このダッシュサイレンサを予めインストールパネル（ダッシュボード）のダッシュパネル側面に装着しておくことにより、該インストールパネルが車両に組み込まれる際にこのダッシュサイレンサも同時に装着されるようにすることも可能である。
【００１３】
そして、本発明のダッシュサイレンサをインストールパネル側に装着することにより、該ダッシュサイレンサとダッシュパネル面との間に０．５〜２０ｍｍの隙間が形成されるようにすることにより、その隙間が空気層となり、遮音性，吸音性をさらに向上させることができる。
【図面の簡単な説明】
【００１４】
【図１】本発明に係る高剛性ダッシュサイレンサの縦断面図。
【図２】本発明に係る高剛性ダッシュサイレンサの透過音損失測定グラフ。
【図３】本発明に係る高剛性ダッシュサイレンサの吸音率測定グラフ。
【図４】本発明に係る高剛性ダッシュサイレンサの斜視図。
【符号の説明】
【００１５】
１    ハード層
２    中間層
３    ソフト層
【図１】
2006106211.tif 000003
【図２】
2006106211.tif 000004
【図３】
2006106211.tif 000005
【図４】
2006106211.tif 000006